(57)【要約】【課題】パーティグライン（金型の会わせ目）Ｐの発生の存在しない成型手段でボタン体を製作すること【解決手段】  外径を同一とする筒状体を、上部半体と下部半体とに二分して構成し、上部半体の下面に前記溝部の上半を構成するための下向き傾斜の凹部を形成し、下部半体の上面に前記溝部の下半を構成するための上向き傾斜の凹部を形成し、上部半体の下面中心より垂直軸を突出させ、下部半体の上面に開口する垂直孔を下部半体の上部に形成して、前記上部半体より突出する垂直軸と下部半体の垂直孔との嵌合により単一部品とする。【選択図】図１
2013250042.tif 000002
【特許請求の範囲】
【請求項１】
通電又は切断を切換自在に行うスイッチ部（６）が設けられたスイッチ本体（１ａ）と、一端が出退自在にスイッチ体本体（１ａ）に設けられたボタン体（２）とからなり、該ボタン体（２）がスイッチ本体（１ａ）内側に押圧されることにより、前記スイッチ部（６）を接続し、ボタン体（２）が突出することにより、スイッチ部（６）が切断される二重安全転倒スイッチであって、
前記ボタン体（２）の所定突出位置にて、該ボタン体（２）をスイッチ本体（１ａ）側に解除自在に係止してボタン体（２）がスイッチ本体（１ａ）内部へ移動を阻止する係止手段が設けられ、この係止手段は、ボタン体（２）とスイッチ本体（１ａ）との間に亘って存在することによりボタン体（２）をスイッチ本体（１ａ）側に係止する係止体（４）としての小球（４）を備えたものであり、この小球（４）が移動することによりボタン体（２）のスイッチ本体（１ａ）への固定の解除がなされるものであり、
前記係止手段が、ボタン体（２）外周面及びスイッチ本体（１ａ）内周面にそれぞれ形成された溝部（３ａ），（３ｂ）と、該溝部（３ａ），（３ｂ）内に収納された係止体（４）からなり、両溝部（３ａ），（３ｂ）の一方はボタン体（２）の移動を許容すべく係止体（４）が完全に収納される深さに設けられ、且つ、他方は、係止体（４）の一部が突出する深さに設けられ、しかも、両溝部（３ａ），（３ｂ）はボタン体（２）の所定突出位置において互いに対向して合致するように設けられ、該ボタン体（２）の一端側か略下向きのときには、係止体（４）が一方の溝部（３ａ）に収納され、且つ、ボタン体（２）の一端側が略横向きのときには、該溝部（３ａ）内の係止体（４）が他方の溝部（３ｂ）に移動してボタン体（２）の移動を阻止すべく、対向した両溝部（３ａ），（３ｂ）は傾斜状に形成されている二重安全転倒スイッチ装置において、
前記ボタン体について、
外径を同一とする筒状体を、上部半体と下部半体とに二分して構成し、
上部半体の下面に前記溝部の上半を構成するための下向き傾斜の凹部を形成し、下部半体の上面に前記溝部の下半を構成するための上向き傾斜の凹部を形成し、
上部半体の下面中心より垂直軸を突出させ、下部半体の上面に開口する垂直孔を下部半体の上部に形成して、前記上部半体より突出する垂直軸と下部半体の垂直孔との嵌合により単一部品としたことを特徴とする電気器具の二重安全転倒スイッチ装置。
【発明の詳細な説明】
【技術分野】
【０００１】  本発明は、ストーブ、温風機、白色灯等の電気器具が転倒した場合に自動的に電源を切り、かつ自動再電源接続を阻止して、火災発生を阻止するための、二重安全転倒スイッチ装置に関する。
【技術の背景】
【０００２】  従来の電気機器の安全スイッチにおいては、例えば地震時等に転倒したストーブ付近に家具やその他の物が転倒や落下してきてボタン体を押圧したり、或いは幼児等が悪戯で転倒した状態のボタン体を押圧することがあるが、このような場合にはストーブが転倒したままでスイッチ部５６が接続されてしまい、安全スイッチとしての目的が十分果たせないという問題があった。
上記の課題を解決するための公知発明として、「特開平９−２０３５２４号：安全スイッチおよび安全スイッチ付き電気器具」「特許文献１」（以下、公知発明という）が存在する。
上記の公知発明の安全スイッチにおいては、係止手段が、ボタン体２とスイッチ本体１ａとの間に亘って存在することによりボタン体２をスイッチ本体１ａ側に係止する係止体４としての小球４を備えたものであり、この小球４が移動することによりボタン体２のスイッチ本体１ａへの固定の解除がなされるものであり、ボタン体２外周面及びスイッチ本体１ａ内周面にそれぞれ形成された溝部３ａ，３ｂと、該溝部３ａ，３ｂ内に収納された係止体４からなり、両溝部３ａ，３ｂの一方はボタン体２の移動を許容すべく係止体４が完全に収納される深さに設けられ、且つ、他方は、係止体４の一部が突出する深さに設けられ、しかも、両溝部３ａ，３ｂはボタン体２の所定突出位置において互いに対向して合致するように設けられ、該ボタン体２の一端側か略下向きのときには、係止体４が一方の溝部３ａに収納され、且つ、ボタン体２の一端側が略横向きのときには、該溝部３ａ内の係止体４が他方の溝部３ｂに移動してボタン体２の移動を阻止すべく、対向した両溝部３ａ，３ｂは傾斜状に形成されていることを特徴としている。
【０００３】  公知発明の作用に関して：係止手段が電気器具本体５の転倒時にスイッチ本体１ａから突出したボタン体２を係止してスイッチ本体１ａ内部への移動が阻止する。このため、一旦電気器具本体５が転倒した後には、ボタン２を押圧しても係止手段によってスイッチ内部２に移動することはできず、ボタン体２がスイッチ部６を接続することがない。従って、電気器具本体５の転倒後に不用意に突出したボタン体２を押圧した場合にもスイッチ本体１ａ内にボタン体２が押し込まれて電気器具本体５に通電されるおそれがない。
また、前記係止手段が、ボタン体２外周面及びスイッチ本体１ａａ内周面にそれぞれ形成された溝部３ａ，３ｂと、該溝部３ａ，３ｂ内に収納された係止体４からなる場合には、電気器具本体５を設置する場合には、ボタン体２の一端側が下向きとなり、係止体４は一方の溝部３ａに完全に収納されているので、ボタン体２の押し込みを自由に行える。
更に、電気器具が転倒してボタン体２の一端側が横向きとなると、ボタン体２の押圧力が解除されることから、ボタン体２は所定突出位置まで突出する。このとき、前記溝部３ａ，３ｂが合致し、係止体４は他方の溝部３ｂに移動する。他方の溝部３ｂ収納された係止体４は、その一部が一方の溝部３ｂにも臨むことにより、小球４がスイッチ本体１ａａとボタン体２の間に位置することによってボタン体２をスイッチ本体１ａに係止し、移動することができない。
【０００４】  公知発明の効果に関して：電気器具が転倒等して安全スイッチが作動して安全スイッチのボタン体が突出した際にも、係止手段によってボタン体が自動的に係止されているためボタン体がスイッチ本体内に移動できず、転倒した状態で電気器具に電源が入ることがない。従って、災害時等に転倒した電気器具に他の物が接触したり、或いは子供が誤って転倒した電気器具の安全スイッチに触れた場合にも、電気器具に電流が流れることがなく、火災の原因になるという危険が防止できる。
【先行技術文献】
【特許文献】
【０００５】
【特許文献１】  特開平９−２０３５２４号
【発明の概要】
【発明が解決しようとする課題】
【０００６】  前記の公知発明にいては、ボタン体に関して、その樹脂成型加工に際して、係止手段を構成する小球４の挿入される溝３ｂに、パーティグライン（金型の会わせ目）Ｐが発生する問題点がある。
図９、１０を参照して、ボタン体の樹脂成型加工に際して樹脂挿入空間Ｈの形成にあたり、係止手段を構成する小球４の挿入される溝３ｂの存在により、対向する一対の可動金型Ａ、固定金型Ｂにより形成それた筒状空間に切欠部Ｒを形成する必要がある。そのため、対向する一対の可動金型Ａ、固定金型Ｂに加えて、固定金型Ｂに形成された下向き傾斜角のガイド孔Ｑに挿入されて出退移動するスライド金型を追加する必要がある。
スライド金型は４個の金型Ｃ１、Ｃ２、Ｃ３、Ｃ４に分割されており、この４個の金型Ｃ１、Ｃ２、Ｃ３、Ｃ４の相互間にパーティグライン（金型の会わせ目）Ｐが発生する。【０００７】    上記のパーティグライン（金型の会わせ目）Ｐの発生は、溝の表面にごく僅かの高さの突条を形成する。小球の移動に支障を生じる高さの突条が存在すると、小球を係止して、小球の移動を阻止することとなる。このことは、転倒時に必要な安全操作が不確実となることを意味し、この種の安全スイッチとしては、確実に除去すべき課題である。
よって、本願発明は、パーティグライン（金型の会わせ目）Ｐの発生の存在しない成型手段でボタン体を製作することを目的とする。
【課題を解決するための手段】
【０００８】  本願発明は、前述の公知発明の電気器具の二重安全転倒スイッチにおける前記ボタン体について、
外径を同一とする筒状体を、上部半体と下部半体とに二分して構成し、上部半体の下面に前記溝部の上半を構成するための下向き傾斜の凹部を形成し、下部半体の上面に前記溝部の下半を構成するための上向き傾斜の凹部を形成し、上部半体の下面中心より垂直軸を突出させ、下部半体の上面に開口する垂直孔を下部半体の上部に形成して、前記上部半体より突出する垂直軸と下部半体の垂直孔との嵌合により単一部品としたことを特徴とする。
【発明の効果】
【０００９】  本願発明は、製品の成形課程におけるパーティグライン（金型の会わせ目）の発生問題を解決して、パーティグライン（金型の会わせ目）の発生の存在しない成型手段でボタン体の成型作業を可能とする。
【図面の簡単な説明】
【００１０】
【図１】本願発明の実施例における二重安全転倒スイッチのボタン体を示し、（イ）図は斜視図、（ロ）図は正面図、（ハ）図は縦断面図。
【図２】ボタン体の上部半体を示し、（イ）図は斜視図、（ロ）図は正面図、（ハ）図は縦断面図、（ニ）図は底面図。
【図３】ボタン体の下部半体を示し、（イ）図は斜視図、（ロ）図は正面図、（ハ）図は縦断面図、（ニ）図は平面図。
【図４】ボタン体の上部半体の樹脂成形に際しての、一対の金型（可動金型と固定金型）と、樹脂成形空間との関係を示す縦断面図。
【図５】ボタン体の下部半体の樹脂成形に際しての、一対の金型（可動金型と固定金型）と、樹脂成形空間との関係を示す縦断面図。
【図６】一般的な安全スイッチを装備したストーブを示す正面図。
【図７】公知発明の安全スイッチを示す断面図。
【図８】安全スイッチが転倒した時の状態を示す断面図。（ロ）は、（イ）のＡ−Ａ線断面。
【図９】公知発明におれるボタン体の樹脂成形にあたり、一対の金型およびスライド金型と、樹脂成形空間との関係を示す縦断面図。
【図１０】図９のＸ−Ｘ断面線による、スライド金型と固定金型とを示す断面図。
【発明を実施するための形態】
【００１１】  本願発明は、電気器具の二重安全転倒スイッチのボタン体について、外径を同一とする筒状体を、上部半体と下部半体とに二分して構成する。
上部半体の下面に前記溝部の上半を構成するための下向き傾斜の凹部を形成し、下部半体の上面に前記溝部の下半を構成するための上向き傾斜の凹部を形成し、上部半体の下面中心より垂直軸を突出させ、下部半体の上面に開口する垂直孔を下部半体の上部に形成する。
前記上部半体より突出する垂直軸と下部半体の垂直孔との嵌合により単一部品としてボタン体を完成する。
【実施例】
【００１２】  本願発明の実施例の説明に先立って、公知発明を説明する。【００１３】  図６乃至図８（ロ）に示す１は電気器具、例えば図６に示すようなストーブに取り付けられた合成樹脂製のスイッチ本体１ａを有する安全スイッチで、該スイッチ本体１ａは図７に示すようにストーブ本体５の底面部５ａにビス２５によって取り付けられている。【００１４】  ２は、前記スイッチ本体１ａの下部に形成された円筒状のボタン収納部７に一端側が突出するように摺動自在に内嵌された円柱状のボタン体で、その他端部（スイッチ本体１ａ内部側）には、有底筒状のスイッチ押圧部２ａが摺動自在に内嵌された収納部２ｂが形成されている。該収納部２ｂ及びスイッチ押圧部２ａにはバネ１０が内装され、該バネ１０はスイッチ押圧部２ａをボタン体に対して突出させる方向に付勢している。【００１５】  ６は、スイッチ本体１ａ内部の上部に設けられたストーブのヒーター用の電気回路の接続、又は切断を切り換え自在に設けられたスイッチ部で、該スイッチ部６は、前記スイッチ押圧部２ａをボタン体２が突出する方向に弾性力により付勢するスイッチ片１２を有する一方の端子１１ａと、該端子１１ａが接離自在な他方の端子１１ｂからなる。そして、スイッチ押圧部２ａがスイッチ片１２を押圧すると、ストーブ本体５のヒーター用の電気回路（図示省略）に接続された端子１１ａが他方の端子１１ｂの下端部に接続され、ストーブ本体５のヒーターに電流を流すことができ、逆にスイッチ押圧部２ａの押圧力が解除されると、スイッチ片１２は弾性力により他方の端子１１ｂから離間し、ストーブ本体５の電流は切断されストーブのヒーター等の電源が切れるようになっている。【００１６】  ３ａ，３ｂは前記ボタン体２及びスイッチ本体１ａに刻設された一対の溝部で、一方の溝部３ａは、前記スイッチ本体１ａのボタン収納部７が位置するボタン体１の外周面に全周にわたって環状に形成されている。他方の溝部３ｂはボタン収納部７の内周面側に全周にわたって環状に形成されている。【００１７】  即ち、ボタン体２は床等の押圧面８に当接しない場合には、前記スイッチ片１２がスイッチ押圧部２ａを押圧するため、ボタン体２が突出する。このボタン体２の所定突出位置において、両溝部３ａ，３ｂはそれぞれの開口が合致して連通するように形成されている（図８（イ）及び（ロ）参照）。【００１８】  また、ボタン体２側の溝部３ａは、ボタン収納部７側の溝部３ｂによりも深く形成されており、しかも、ボタン体２の所定突出位置において、ボタン体２側の溝部３ａがスイッチ本体１ａ側の溝部３ｂよりも該ボタン体２の一端側（ボタン体２が上下方向に位置する場合には下方）に位置し、且つ、両溝部３ａ，３ｂが連通した孔部の形状は、図８（イ）に示す如く断面逆ハの字の傾斜状に形成されている。【００１９】  ４は、ＳＵＳ（ステンレス鋼）等からなる係止体としての小球で、前記溝部３ａ，３ｂ内に１個収納されている。前記ボタン体２側の溝部３ａの深さは、該小球４が完全に溝部３ａ内に収納されて小球４が溝部３ａから突出しない程度の深さに形成されており、これに対してスイッチ本体１ａ側の溝部３ｂの深さはこれよりもやや浅く形成されているが、小球４が収納された��合には少なくとも該小球４の中心部は溝部３ｂ内に収納されて、且つ小球４の一部が溝部３ｂから突出するような深さに成形されている。【００２０】  しかも、小球４は、ストーブ本体５が垂直に設置されている通常の使用状態では、図６に示すようにボタン体２側の溝部３ａ内に、該溝部３ａ内を周方向に移動自在に収納されている。小球４の材質はＳＵＳに限定されるものではないが、錆等によって表面の滑らかさが無くなると自由に転動又は摺動しにくくなるため、滑らかで且つ錆にくい材質からなることが好ましい。【００２１】  ９は、前記スイッチ本体１ａのボタン収納部７の周端縁に嵌装され、溝部３ｂの一部を形成すると共に、ボタン体２の軸封の機能を有している環状の止め部材で、外周面が上方にむかってやや径が大きくなるテーパー状に形成されているため該ボタン収納部７の下方から嵌装する際に、ワンタッチで簡単且つ確実に挿着することができ、不用意に抜け落ちるおそれがない。【００２２】  次に、このような構成からなる安全スイッチ１を使用する場合について説明する。まず、ストーブ本体５を床面８に垂直に設置して通常に使用している場合には、図７に示すように、ボタン体２の一端部は床面８に当接し、床面８によりボタン体２はボタン収納部７に対して上方、すなわちスイッチ本体１ａの内部側へ押圧されている。【００２３】  従って、ボタン体２はスイッチ本体１ａの内部側に収納されて、ボタン体２の上端部にバネ１０を介して接続されているスイッチ押圧部２ａが、前記スイッチ部６のスイッチ片１２を押圧し両端子１１ａ，１１ｂが連結され、スイッチ部６に電流が流れる。従って、ストーブ本体５のヒーターは、電源が入っていれば通電して加熱しストーブとして使用することができる。【００２４】  尚、ボタン体２が下方向を向く場合には、前記両溝部３ａ，３ｂは逆ハの字状となるため、小球４は自重によりボタン体２側の溝部３ａに完全に収納されており、ボタン体２の上下方向の摺動は自由に行える。【００２５】  次に、例えば地震等の災害時にストーブ本体５が転倒した場合には、図８に示すように、床面８からのボタン体２への押圧が解除されると、スイッチ片１２は弾性力により他方の端子１１ｂから離間してスイッチ部６で電流は切断される。その結果、ストーブ本体５の元の電源を切ることなくストーブ本体５のヒーターの加熱を停止し、火災等を防止できる。【００２６】  このストーブ本体５の転倒時に、スイッチ片１２はスイッチ押圧部２ａと共にボタン体２を押し出すこととなるが、小球４は完全にボタン体２側の溝部３ａに収納されていることから、ボタン体２がボタン収納部７に対して移動する際に支障となることはない。また、ボタン体２側の溝部３ａ内の任意の位置に収納されている小球４は、環状の溝部３ａ内をその下方までスムースに移動する。このように、任意の方向にストーブ本体５が転倒しても、環状に形成された溝部３ａであるため、小球４は溝部３ａに沿って確実に下方へ移動することができる。【００２７】  更に、ボタン体２がスイッチ片１２の弾性力により所定突出位置まで側方に突出すると、ボタン体２側の溝部３ａとスイッチ本体１ａ側の溝部３ｂの開口は合致して連通し、小球４は連続した両溝部３ａ，���ｂに沿ってスイッチ本体１ａ側の溝部３ｂ内に移動する。【００２８】  該スイッチ本体１ａ側の溝部３ｂの深さは、前記のように小球４の一部が突出する程度の深さに形成されているため、小球４の一部は該スイッチ本体１ａ側の溝部３ｂから突出してボタン体２側の溝部３ａ側に臨み、小球４は両溝部３ａ，３ｂに亘って収納されることになる。【００２９】  従って、この状態で、例えば転倒してきた家具等がボタン体２に接触することや子供の悪戯等によってボタン体２を押圧した場合にも、前記小球４がボタン体２とスイッチ本体１ａの間に亘って存在しているため、該小球４がボタン体２をロックし、ボタン体２が押し込まれるのを阻止することになる。【００３０】  即ち、小球４の一部はスイッチ本体１ａ側の溝部３ｂから突出しているがその中心はスイッチ本体１ａ側の溝部３ｂ内に位置するようにある程度深く小球４は収納されている。そのため、例えば強い力でボタン体２をスイッチ本体１ａ内側に押圧しても、小球４はボタン体２により、溝部３ｂ側に収納する方向に押圧されることとなり、この結果、確実にスイッチ本体１ａ側の溝部３ｂ内に留まり、ボタン体２を係止することができるのである。【００３１】  そのため、ストーブ本体５が転倒している状態では、スイッチ部６に電流が流れることがなく、災害時に確実に安全を確保することができる。【００３２】  また、ストーブ本体５を垂直に設置し直した場合には、スイッチ本体１ａ側の溝部３ｂ内の小球４は自重によって両溝部３ａ，３ｂ内の傾斜に沿って下方、すなわちボタン体２側の溝部３ａ内へ移動し、該ボタン体２側の溝部３ａ内に小球４は完全に収納されるため、ボタン体２のスイッチ本体１ａへの固定も解除される。従って、ボタン体２は床面８等によって図６のようにスイッチ本体１ａ内部に移動して、スイッチ部６に電流を流すことができる。【００３３】  このような溝部３ａ，３ｂと小球４からなる係止手段を有する安全スイッチ１は、転倒時には確実に電源を切ることができ、また正しい設置位置に戻せば自動的に電源を入れることができる。【００３４】  さらに、従来の安全スイッチのボタン体とスイッチ本体に溝部３ａ，３ｂを形成し、小球４を収納するだけで係止手段を形成することができるため、製造コストが安価で、且つ安全スイッチを小型に形成することができる。【００３５】  尚、ボタン体２の一端が下方向き及び横向きとは、多少の斜めの状態であっても良いことは無論である。【００３６】  上記実施の形態では、ボタン体２の外周面及びスイッチ本体１ａの内周面に全周に亘って環状の溝部３ａ，３ｂを形成した。【００３７】以下、図１ないし図５を参照して、本願発明の実施例を説明する。【００３８】  本願発明は、前述の公知発明の電気器具の二重安全転倒スイッチにおけるボタン体１００を、外径を同一とする筒状体を、上部半体１１０と下部半体１２０とに二分して構成する。【００３９】  上部半体１１０は、その下面に前記溝部の上半を構成するための下向き傾斜の凹部１１１形成する。【００４０】  下部半体１２０は、その上面に前記溝部の下半を構成するための上向き傾斜の凹部１２１を形成する。【００４１】  上部半体１１０の下面中心より垂直軸１１２を突出させる��下部半体１２０の上面に開口する垂直孔１２２を下部半体の上部に形成する。【００４２】  前記上部半体１１０より突出する垂直軸１１２と、下部半体１２０の垂直孔１２２との嵌合により、上部半体１１０と下部半体１２０とを一体化により、単一部品とてボタン体１００を完成する。【００４３】  上記構成の上部半体１１０および下部半体１２０は、樹脂成型、ダイキャスト金属成型にあたり、いずれも可動金型と固定金型のみで成型作業を行うことができて、公知発明におけるパーティグライン（金型の会わせ目）を生じない。【００４４】  即ち、図４を参照して、上部半体１１０の樹脂成型に際しては、可動金型Ａ１と固定金型Ｂ１のみで成型作業を行うことができて、公知発明におけるスライド金具を必要としない。【００４５】  同様に、図５を参照して、下部半体１２０の樹脂成型に際しては、可動金型Ａ２と固定金型Ｂ２のみで成型作業を行うことができて、公知発明におけるスライド金具を必要としない。【００４６】  よって、本願発明は、公知発明におけるパーティグライン（金型の会わせ目）の発生問題を解決して、パーティグライン（金型の会わせ目）の発生の存在しない成型手段でボタン体の成型作業を可能とする。
【産業上の利用可能性】
【００４７】    本願発明は、電気器具の二重安全転倒スイッチについて、誤作動のおそれのないボタン体を提供するものであり、電気機器の利用を促進して、電気器具製造業の発展に寄与するものである。
【符号の説明】
【００４８】    １００      ボタン体
１００      上部半体
１１１      下向き傾斜の凹部
１１２      垂直軸
１２０      下部半体
１２１      上向き傾斜の凹部
１２２      垂直孔
Ａ１、Ａ２      可動金型
Ｂ１、Ｂ２      固定金型
【図１】
2013250042.tif 000003
【図２】
2013250042.tif 000004
【図３】
2013250042.tif 000005
【図４】
2013250042.tif 000006
【図５】
2013250042.tif 000007
【図６】
2013250042.tif 000008
【図７】
2013250042.tif 000009
【図８】
2013250042.tif 000010
【図９】
2013250042.tif 000011
【図１０】
2013250042.tif 000012